(57)【特許請求の範囲】
【請求項１】
枠体に設けたブラケットに支持されるモータと、このモータの出力軸に設けた羽根車と、この羽根車をカバーするガードと、前記枠体に取付けた略筒状の吹出し側のケーシングと、このケーシングの吹出し方向端部の内方に、間隔を持って設けた渦巻き形の静翼とで構成した撹拌扇であって、
この撹拌扇に付設された細霧装置は、前記ケーシングに囲繞するように設けた配管と、この配管に設けたノズルとで構成し、このノズルが前記ケーシングの吹出し方向端部の前方に位置するとともに、このノズルを、前記ケーシングの外周に位置する構成とし、
このノズルより噴射された流体は、前記ケーシングの吹出し方向端部から吹出される風に誘導され、広域的に拡散可能としたことを特徴とする細霧装置付きの撹拌扇。
【請求項２】
請求項１に記載の細霧装置付きの撹拌扇であって、
前記配管に、他に設置したタンクに設けた搬送用の配管を接続する構成とした細霧装置付きの撹拌扇。
【請求項３】
請求項１に記載の細霧装置付きの撹拌扇であって、
前記配管は、前記ケーシングの吹出し側の先端周面に設け、この配管に設けたノズルの吹出し口が、このケーシングの吹出し方向端部より突出する構成としたことを特徴とする細霧装置付きの撹拌扇。
【請求項４】
請求項１に記載の細霧装置付きの撹拌扇であって、
前記配管に設けたノズルは、少なくとも三個以上であって、略等間隔に設ける構成としたことを特徴とする細霧装置付きの撹拌扇。
【発明の詳細な説明】
【技術分野】
【０００１】
本発明は、農事用、畜産用等として活用されている撹拌扇の改良を意図した細霧装置付きの撹拌扇に関する。
【背景技術】
【０００２】
従来、この種の撹拌扇に配管を介して搬送した流体を、一個のノズルより噴射する構成が考えられる。本出願人もこの考え方に基づく実験機を製造し、工場内で試験を行った。その結果は、略５ｍの所で流下する傾向がみられ、十分な拡散効果が達成されていないことが判明した。このような状況に鑑み、先行文献を調査した処、下記に示した考案が検索されたので、以下、その概要を説明する。
【０００３】
この文献（１）は、実用新案登録第３０６８５２５号の「ミストファン及びミストファンキット」である。この考案は、ビニールハウス、温室又は畜舎に設置される送風扇の前面に、この送風扇の羽根径に見合うサイズのリング状の送液管を配置し、この送液管に適宜数の噴出口を配置し、この噴出口より霧化したミストを風圧でビニールハウス、温室又は畜舎内に拡散し、消毒や気化潜熱を利用した冷房をする構成であり、農業用のビニールハウス、温室又は畜舎内の消毒や冷房を、簡単な設備で実現することを意図する。
【０００４】
また文献（２）は、実開平７−９４５７号の「施湿用噴霧装置」である。この考案は、両端を開口した通風筒内にモータにより回転するファンを設け、このファンの送風方向の途上であって通風筒の吹出口の周内に複数の噴霧ノズルを設け、この噴霧ノズルから噴出される細霧をファンからの送風に含ませて高速細霧し、遠方に飛ばす構成であり、ダム建設におけるＲＣＤ工法によるコンクリートの打設面に対し、養生のために広範囲に亙って細霧を与える施湿手段として採用できる施湿用噴霧装置を提供することを意図する。
【０００５】
【特許文献１】実用新案登録第３０６８５２５号
【特許文献２】実開平７−９４５７号
【発明の開示】
【発明が解決しようとする課題】
【０００６】
前記文献（１）は、送風扇枠の前面に、送風扇の羽根径に見合ったサイズで４個の噴出口を設けた構成であり、送風扇と噴出口は近接した位置関係でなる。従って、噴出口より噴射されるミストは、細霧化される前（ミスト粒子とする）の状態で拡散される虞があり、このミスト粒子が近距離で流下される。従って、このような構成では、十分な細霧冷房、防除効果の拡充又は気化潜熱は、それ程期待できないものと考えられる。またこの近距離の作物、家畜又は地面、床面等に流下し、この箇所を濡らすことから、その弊害が考えられる。例えば、作物及び／又は家畜では生育の阻害、病気の発生と、収穫量の減少等が考えられる。
【０００７】
また文献（２）は、通風筒の吹出口の周内に複数の噴霧ノズルを設けた構成であり、圧損及び／又は風量の減少等が考えられること、騒音が発生すること等の弊害が考えられるので、工事現場での使用には差し支えないが、農事用、畜産用としての使用には問題が考えられる。
【０００８】
上記に鑑み本発明は、（１）ノズルからの流体を速やかに細霧化すること、（２）細霧噴出用のノズルからの細霧の飛距離及び／又は拡散範囲を拡大すること、（３）作物にムラなく噴霧すること、（４）細霧供給ノズルの取付け個数を細霧の飛距離が伸びることにより減少させること、（５）細霧の拡散効果は、滞空時間を長くすること、（６）園芸ハウス内部を速くムラなく霧で包みこみ、葉面の裏まで霧を届かせること、又は防除に効果を発揮すること、また細霧のミスト化が促進され、作物の葉面を必要以上に濡らさず噴霧状況を確保すること及び／又は最適な噴霧を行うこと等を意図する。
【課題を解決するための手段】
【０００９】
請求項１の発明は、ケーシングに囲繞する配管に複数のノズルを設ける構成及び／又は
羽根車とノズルとの間に空間を形成する構成を採用し、下記の目的を達成することを意図する。即ち、（１）ノズルからの流体（水、薬液、養分等の流体）を速やかに細霧化すること、（２）細霧噴出用のノズルからの細霧の飛距離及び／又は拡散範囲を拡大すること、（３）作物にムラなく噴霧すること、（４）細霧供給ノズルの取付け個数を細霧の飛距離が伸びることにより減少させること、（５）細霧の拡散効果は、滞空時間を長くすること、（６）園芸ハウス内部を速くムラなく霧で包みこみ、葉面の裏まで霧を届かせることで、防除効果を発揮すること、また細霧のミスト化が促進され、作物の葉面を必要以上に濡らさず、最適な噴霧状況を確保すること及び／又は最適な噴霧を行うこと等を意図する。
【００１０】
請求項１は、枠体に設けたブラケットに支持されるモータと、このモータの出力軸に設けた羽根車と、この羽根車をカバーするガードと、前記枠体に取付けた略筒状の吹出し側のケーシングと、このケーシングの吹出し方向端部の内方に、間隔を持って設けた渦巻き形の静翼とで構成した撹拌扇であって、
この撹拌扇に付設された細霧装置は、前記ケーシングに囲繞するように設けた配管と、この配管に設けたノズルとで構成し、このノズルが前記ケーシングの吹出し方向端部の前方に位置するとともに、このノズルを、前記ケーシングの外周に位置する構成とし、
このノズルより噴射された流体は、前記ケーシングの吹出し方向端部から吹出される風に誘導され、広域的に拡散可能としたことを特徴とする細霧装置付きの撹拌扇である。
【００１１】
請求項２の発明は、請求項１の目的を達成すること、この目的を達成するための最適な配管装置を提供すること等を意図する。
【００１２】
請求項２は、請求項１に記載の細霧装置付きの撹拌扇であって、
前記配管に、他に設置したタンクに設けた搬送用の配管を接続する構成としたことを特徴とする細霧装置付きの撹拌扇である。
【００１３】
請求項３の発明は、請求項１の目的を達成すること、この目的を達成するための最適な配管及び／又はノズルの構造を提供すること等を意図する。
【００１４】
請求項３は、請求項１に記載の細霧装置付きの撹拌扇であって、
前記配管は、前記ケーシングの吹出し側の先端周面に設け、この配管に設けたノズルの吹出し口が、このケーシングの吹出し方向端部より突出する構成としたことを特徴とする細霧装置付きの撹拌扇である。
【００１５】
請求項４の発明は、請求項１の目的を達成すること、この目的を達成するための最適な配管及び／又はノズルの構造を提供すること等を意図する。
【００１６】
請求項４は、請求項１に記載の細霧装置付きの撹拌扇であって、
前記配管に設けたノズルは、少なくとも三個以上であって、略等間隔に設ける構成としたことを特徴とする細霧装置付きの撹拌扇である。
【発明の効果】
【００１７】
請求項１の発明は、枠体に設けたブラケットに支持されるモータと、モータの出力軸に設けた羽根車と、羽根車をカバーするガードと、枠体に取付けた略筒状の吹出し側のケーシングと、ケーシングの吹出し方向端部の内方に、間隔を持って設けた渦巻き形の静翼とで構成した撹拌扇であって、
撹拌扇に付設された細霧装置は、ケーシングに囲繞するように設けた配管と、配管に設けたノズルとで構成し、ノズルが前記ケーシングの吹出し方向端部の前方に位置するとともに、ノズルを、ケーシングの外周に位置する構成とし、
ノズルより噴射された流体は、ケーシングの吹出し方向端部から吹出される風に誘導され、広域的に拡散可能としたことを特徴とする細霧装置付きの撹拌扇である。
【００１８】
従って、請求項１は、ケーシングに囲繞する配管に複数のノズルを設ける構成及び／又は羽根車とノズルとの間に空間を形成する構成を採用し、下記の目的を達成できる。即ち、（１）ノズルからの流体（水、薬液、養分等の流体）を速やかに細霧化できること、（２）細霧噴出用のノズルからの細霧の飛距離及び／又は拡散範囲を拡大できること、（３）作物にムラなく噴霧できること、（４）細霧供給ノズルの取付け個数を細霧の飛距離が伸びることにより減少させ得ること、（５）細霧の拡散効果は、滞空時間を長くできること、（６）園芸ハウス内部を速くムラなく霧で包みこみ、葉面の裏まで霧を届かせることで、防除効果が発揮できること、また細霧のミスト化が促進され、作物の葉面を必要以上に濡らさず、最適な噴霧状況が確保できること及び／又は最適な噴霧が行えること等の特徴がある。
【００１９】
請求項２の発明は、請求項１に記載の細霧装置付きの撹拌扇であって、
配管に、他に設置したタンクに設けた搬送用の配管を接続する構成とした細霧装置付きの撹拌扇である。
【００２０】
従って、請求項２は、請求項１の目的を達成できること、この目的を達成するための最適な配管装置を提供できること等の特徴を有する。
【００２１】
請求項３の発明は、請求項１に記載の細霧装置付きの撹拌扇であって、
配管は、ケーシングの吹出し側の先端周面に設け、配管に設けたノズルの吹出し口が、ケーシングの吹出し方向端部より突出する構成としたことを特徴とする細霧装置付きの撹拌扇である。
【００２２】
従って、請求項３は、請求項１の目的を達成できること、この目的を達成するための最適な配管及び／又はノズルの構造を提供できること等の特徴を有する。
【００２３】
請求項４の発明は、請求項１に記載の細霧装置付きの撹拌扇であって、
記載の配管に設けたノズルは、少なくとも三個以上であって、略等間隔に設ける構成とした細霧装置付きの撹拌扇である。
【００２４】
従って、請求項４は、請求項１の目的を達成できること、この目的を達成するための最適な配管及び／又はノズルの構造を提供できること等の特徴を有する。
【発明を実施するための最良の形態】
【００２５】
本発明の一例を説明する。
【００２６】
図面の説明をすると、図１はハウスに本発明の細霧装置付きの撹拌扇を装置した状態の側面図、図２は細霧装置付きの撹拌扇の側面図、図３は細霧装置付きの撹拌扇の正面図、図４は細霧装置付きの撹拌扇の正面斜視図、図５は細霧装置付きの撹拌扇の背面斜視図である。
【００２７】
図中１は方形状の枠体で、この枠体１の後方側（吸込み側）には複数本のブラケット２を支持し、このブラケット２にモータ３を取付ける。このモータ３の出力軸３０には羽根車４を軸支する。また前記枠体１の前方側には略筒状の吹出し側のケーシング６を設け、このケーシング６の吹出し方向端部のやや内方には渦巻き形の静翼８を設ける。そして、この静翼８は断面視して吹出し方向に向かってテーパー形状を呈しており、風の吹出しをスムーズにして、到達距離の補助と、翼体８０の強度の確保、又は樹脂成形の特性を利用すること等を目的とする。図中５は羽根車４のガードを示しており、前記ブラケット２に支持されている。尚、この静翼８はケーシング６の吹出し方向端部のやや内方で、十分な間隔８１を持つ構成とし、羽根車４からの送風を遠方に、かつ略円筒状に送出すことを目的とする。またこのケーシング６に囲繞するように設けた配管１０と、この配管１０等間隔に複数のノズル１１を設ける。そして、このノズル１１がケーシング６の吹出し方向端部の前方に位置するとともに、このノズル１１と前記羽根車４との間に送風流域用の空間１２を形成する構成とし、ケーシング６内において、風の移動をスムーズにし、また羽根車４からの送風を遠方に、かつ略円筒状に送出すことを目的とする。そして、この送風の特性を活用することで、ノズル１１から噴射される流体の細霧化を促進しつつ、かつ細霧を遠方に飛ばすとともに細霧拡散が図れる。このような構成であることから、ハウスＨ内の広域的な範囲に、細霧を供給できること、配置台数の減少化、省資源化、環境保護等に役立て得る特徴がある。さらにこの細霧の一層の広域的な拡散を必要とする場合は、本発明の撹拌扇の首振り及び／又は俯仰角調整を図る（図示せず）。尚、この全部のノズル１１は図３に示した如く、軸心方向（羽根車４の軸心方向）に傾斜することで、噴射（噴霧）方向の収歛化と、羽根車４で生成される風に確実に混入できること等の特徴があり、前述の通り、噴射される流体の細霧化を促進しつつ、かつ細霧を遠方に飛ばすとともに細霧拡散が図れる。勿論、このノズル１１の方向は全部及び／又は一部を変更可能であり、気候及び／又は作物（家畜）、取付け位置、ハウスＨ（畜舎）の形態等により選択する。そして、本発明は前述の如く、ノズル１１より噴射された流体は、瞬時に細霧化されるとともに、ケーシング６の吹出し方向端部から吹出される風に誘導され、広域的に拡散される特徴がある。
【００２８】
前記配管１０はケーシング６に固止した複数個の取付け体１３で適宜間隔を持って支持され、この配管１０にケーシング６の振動が伝達しない構成とし、ノズル１１からの均等な噴射を意図する。
【００２９】
尚、２０はガード５とケーシング６との間に設けたベルマウスで、羽根車４で生成される風をスムーズにケーシング６に送風し、またこの風の生成に寄与する。
【００３０】
図中２１は配管１０に流体を供給する配管で、図示しない水槽及び／又は撹拌扇に付設したタンクに連設されている。また図示しないが、撹拌扇に直接タンクを設けることも可能である。
【図面の簡単な説明】
【００３１】
【図１】図１はハウスに本発明の細霧装置付きの撹拌扇を装置した状態の側面図
【図２】図２は細霧装置付きの撹拌扇の側面図
【図３】図３は細霧装置付きの撹拌扇の正面図
【図４】図４は細霧装置付きの撹拌扇の正面斜視図
【図５】図５は細霧装置付きの撹拌扇の背面斜視図
【符号の説明】
【００３２】
１            枠体
２            ブラケット
３            モータ
３０          出力軸
４            羽根車
５            ガード
６            ケーシング
８            静翼
８０          翼体
８１          間隔
１０          配管
１１          ノズル
１２          送風流域用の空間
１３          取付け体
２０          ベルマウス
２１          配管
Ｈ            ハウス
【図１】
0004688148.tif 000002
【図２】
0004688148.tif 000003
【図３】
0004688148.tif 000004
【図４】
0004688148.tif 000005
【図５】
0004688148.tif 000006